(57)【要約】 【課題】意図しない形で開く事態を防止でき、ルーズリーフ用紙が外れて落ちる事態も避けられる、というレバーアーチ機構を提供する。【解決手段】平らな基板と、基板上に固定的に取り付けられた２つの第１リング部材と、基板上に可動状態で取り付けられたリングアセンブリであって、２つの第２リング部材を有し、第１リング部材と第２リング部材とは、リングアセンブリが移動すると閉じたループを形成する、という前記リングアセンブリと、一方の端部が基板上に取り付けられ、他方の端部がリングアセンブリに当接するという弾性部材と、基板から上方向に延びた突出部と、そして、突出部上に取り付けられてリングアセンブリを移動させることでレバーアーチ機構を開閉するレバー機構と、を有し、レバーアーチ機構が閉じられている際にレバー機構を所定位置にロックするロック手段を更に有する、というレバーアーチ機構。【選択図】図１
2008062647.tif 000002
【特許請求の範囲】
【請求項１】
レバーアーチ機構であって、
平らな基板と、
基板上に固定的な形で取り付けられた２つの第１リング部材であって、互いから隔てられ、互いと平行である、という前記２つの第１リング部材と、
基板上に可動状態で取り付けられたリングアセンブリであって、互いから隔てられ、互いと平行である、という２つの第２リング部材を有し、２つの第１リング部材と２つの第２リング部材とは、１つ１つが互いに向き合う形に配置されており、そのため、リングアセンブリが移動すると、それぞれの向かい合うリング部材が閉じたループを形成する、という前記リングアセンブリと、
一方の端部が基板上に取り付けられており、もう一方の端部がリングアセンブリに当接する、という弾性部材であって、弾性力によってリングアセンブリを基板から遠ざける方向に押す前記弾性部材と、
基板から上方向に延びた突出部と、そして、
回転可能な形で突出部上に取り付けられ、リングアセンブリと接触するレバー機構であって、リングアセンブリを基板上に押し付ける、または、リングアセンブリを基板から遠ざける形で移動させ、それによってレバーアーチ機構を開閉する、という形で使用される前記レバー機構と、を有し、
レバーアーチ機構が閉じられている際にレバー機構を所定位置にロックするロック手段を更に有する、というレバーアーチ機構。
【請求項２】
ロック手段は、レバー機構に対応する位置に隣接して、基板上に設けられており、ロック手段は、基板から上方向に延びたベースと、当該ベースからレバー機構の方向に曲ったロック部分とを有すること、
を特徴とする請求項１に記載のレバーアーチ機構。
【請求項３】
ベースとロック部分とはＬ字の形を成していること、
を特徴とする請求項２に記載のレバーアーチ機構。
【請求項４】
ロック手段は、基板をパンチ加工またはカット加工し、基板のパンチまたはカットされた部分を曲げるという操作により、基板と一体の形で形成されていること、
を特徴とする請求項２に記載のレバーアーチ機構。
【請求項５】
ロック手段は基板上に回転可能な形で設置されており、ロック手段は、回転させられた場合、レバー機構にかぶさる位置にくること、
を特徴とする請求項１に記載のレバーアーチ機構。
【請求項６】
ロック手段は、ベースと当該ベースから曲がったロック部分とを有し、ベースは回転可能な形で基板上に設置されていること、
を特徴とする請求項５に記載のレバーアーチ機構。
【請求項７】
ベースとロック部分とでＬ字の形を成すこと、
を特徴とする請求項６に記載のレバーアーチ機構。
【請求項８】
ロック手段は更に、ロック部分から延びたハンドルを有すること、
を特徴とする請求項６に記載のレバーアーチ機構。
【請求項９】
ロック手段は、基板に対して平行に延びたベースと、ベースから上方向に延びたロック部分とを有し、ベースは回転可能な形で基板上に設置されていること、
を特徴とする請求項５に記載のレバーアーチ機構。
【請求項１０】
ノッチは、ロック部分のうちレバー機構に面する側に形成されていること、
を特徴とする請求項９に記載のレバーアーチ機構。
【請求項１１】
ロック手段は螺旋形ねじれスプリングを更に有し、当該螺旋形ねじれスプリングは、一方の自由端が基板に固定されていると共に、他方の自由端がロック部分に当接しており、そのため、ロック手段はレバー機構の方向に回転しようとすること、
を特徴とする請求項９に記載のレバーアーチ機構。
【請求項１２】
ロック手段は、ベースの他方の端部から延びたハンドルを更に有すること、
を特徴とする請求項９に記載のレバーアーチ機構。
【請求項１３】
ロック手段は基板上にスライド移動可能な形で設けられていること、
を特徴とする請求項１に記載のレバーアーチ機構。
【請求項１４】
ロック手段は、基板から上方向に延びて互いに対向する２つのベースと当該２つのベースの上をスライド移動可能なロック部分とを有すること、
を特徴とする請求項１３に記載のレバーアーチ機構。
【請求項１５】
２つのベースは互いに向かって曲げられているが、対向する曲り部分の間には間隔が残されて、それにより、対向する２つの曲り部分と基板との間に通路が形成されており、ロック部分はその本体の２つの側面の各々にグルーブを備えており、グルーブの形状および寸法は、ベースの曲り部分と密に契合して、外部の力の作用でロック部分をスライド移動させる、という形になるように決められていること、
を特徴とする請求項１４に記載のレバーアーチ機構。
【請求項１６】
レバー機構を受け止めるためのノッチが、ロック部分のうちレバー機構に面した端部に設けられていること、
を特徴とする請求項１４に記載のレバーアーチ機構。
【請求項１７】
ロック部分の上面に打ち出し加工部が形成されていること、
を特徴とする請求項１４に記載のレバーアーチ機構。
【請求項１８】
ロック手段は、基板から上方向に延びたベースを有し、ベースには開口が形成されており、レバー機構のうちベースの開口に対応した位置には突起が形成されており、突起は開口に収容されるようにできていること、
を特徴とする請求項１に記載のレバーアーチ機構。
【請求項１９】
ロック手段は、基板から上方向に延びたベースを有し、ベースには突起が形成されており、レバー機構のうちベースの突起に対応した位置にはノッチが形成されており、突起はノッチに収容されるようにできていること、
を特徴とする請求項１に記載のレバーアーチ機構。
【請求項２０】
ロック手段は、基板から上方向に延びたベースと、レバー機構を挟んでベースの反対側で基板上にピボット運動可能な形で設置されたロック部分とを有し、ベースとロック部分とは互いにロックされてレバー機構をロック部分の下側の位置に置くこと、
を特徴とする請求項１に記載のレバーアーチ機構。
【請求項２１】
ベースには開口が形成されており、ロック部分には開口に対応した突起が形成されており、突起は開口に収容されるようにできていること、
を特徴とする請求項２０に記載のレバーアーチ機構。
【請求項２２】
ベースには突起が形成されており、ロック部分には突起に対応した開口が形成されており、突起は開口に収容されるようにできていること、
を特徴とする請求項２０に記載のレバーアーチ機構。
【請求項２３】
ロック部分は、基板から上方向に延びて互いと対向する２つのベースを有し、２つの対向するベースは、その上側端部において互いの方向に曲がることで、レバー機構を所定位置に保持するロック部分を２つ形成していること、
を特徴とする請求項１に記載のレバーアーチ機構。
【請求項２４】
２つのロック部分の間隔はレバー機構のレバーの径よりも狭いこと、
を特徴とする請求項２３に記載のレバーアーチ機構。
【請求項２５】
ロック手段は、突出部上にピボット運動可能な形で設置されていること、
を特徴とする請求項１に記載のレバーアーチ機構。
【請求項２６】
ロック手段は、突出部の上にピボット運動可能な形で設置されたロック部分を有し、ロック部分の下側端部はレバー機構に当接すること、
を特徴とする請求項２５に記載のレバーアーチ機構。
【請求項２７】
ロック手段は螺旋形ねじれスプリングを更に有し、当該螺旋形ねじれスプリングは、一方の自由端が突出部に固定されていると共に、他方の自由端がロック部分に当接しており、そのため、ロック部分はレバー機構の方向に回転させられる傾向となること、
を特徴とする請求項２６に記載のレバーアーチ機構。
【請求項２８】
ロック部分の下側端部を受け止めるノッチが、レバー機構がロック部分に当接する位置において、レバー機構上に形成されていること、
を特徴とする請求項２６に記載のレバーアーチ機構。
【請求項２９】
ロック部分がレバー機構に接触する位置において、グルーブがロック部分の上に形成されていること、
を特徴とする請求項２６に記載のレバーアーチ機構。
【請求項３０】
ロック手段は操作部分を更に有し、操作部分は、レバー機構上にピボット運動可能な形で設置されたハンドルと、ハンドルに接続されたロッド部分とを更に有し、ロッド部分のうちハンドルに接続している端部とは反対側の端部は、ロック部分のうちハンドルから離れた方の側に当接すること、
を特徴とする請求項２６に記載のレバーアーチ機構。
【請求項３１】
ロック手段は押え部分を更に有し、当該押え部分は、ロック部分の上側端部から一体の形で延び、ロック部分をレバー機構から遠ざける形で移動させるためのものであること、
を特徴とする請求項２６に記載のレバーアーチ機構。
【請求項３２】
押え部分はカーブした形状で形成されていること、
を特徴とする請求項３１に記載のレバーアーチ機構。
【請求項３３】
２つの第２リング部材は接続部分によって互いに接続されて一体となっており、接続部分は基板の中央の方向に曲げられた曲り部分を有すること、
を特徴とする請求項１に記載のレバーアーチ機構。
【請求項３４】
曲り部分の中央は上向きに突き出して隆起部を形成していること、
を特徴とする請求項３３に記載のレバーアーチ機構。
【請求項３５】
弾性部材は板バネであること、
を特徴とする請求項１に記載のレバーアーチ機構。
【請求項３６】
弾性部材はスプリングワイヤであること、
を特徴とする請求項１に記載のレバーアーチ機構。
【請求項３７】
レバー機構はレバーと当接部分とを有し、当該当接部分はレバー上に取り付けられて、リングアセンブリと接触すること、
を特徴とする請求項１に記載のレバーアーチ機構。
【請求項３８】
当接部分はカムであること、
を特徴とする請求項３７に記載のレバーアーチ機構。
【請求項３９】
当接部分はローラであること、
を特徴とする請求項３７に記載のレバーアーチ機構。
【発明の詳細な説明】
【技術分野】
【０００１】
本発明はレバーアーチ機構に関する。
【背景技術】
【０００２】
レバーアーチ機構は、ルーズリーフ用紙などの用紙を保持する用途に広く使用されている文房具の一種である。本発明の出願人による中国特許：０１１２４６４５.６号には以下のようなレバーアーチ機構が開示されている。すなわち、実質的に平らな基板と；互いから隔てられた形で基板の長手方向の一方の側に一方の端部が固定的に装着された２つの第１リング部材であって、基板からほぼ垂直方向上向きに延び、他方の端部でわずかに曲がって曲がり部分を形成している、という２つの第１リング部材と；互いから隔てられた形で基板の長手方向の反対側に端部が可動状態で装着された２つの第２リング部材であって、基板からほぼ垂直方向上向きに延び、他方の端部でわずかに曲がってもう一方の曲がり部分を形成しており、レバーアーチ機構が閉じられる際には２つの第１リング部材のもう一方の端部にある曲り部分と契合して閉ループを形成し、基板に近い方の端部で接続部分によって互いと接続されて一体化することで２つが共に移動することが可能となっており、接続部分は全体的にＵ字の形をした曲り部分を有し、当該曲がり部分は中央部分で基板の中心の方向に曲がっており、その中央はわずかに上向きに隆起して隆起部を形成する、という２つの第２リング部材と; 基板をカットしそのカット部分を上方向に曲げることで基板の中央に形成された、全体的に直立した突出部と；板バネであって、一方の端部は基板のうち長手方向の反対側に隣接する位置で切られたグルーブの中に装着され、他方の端部は接続部分のうち全体的にＵ字の形の曲り部分の下側に当接し、接続部分を基板の面から遠ざける方向に押すことで、２つの第２リング部材が共に固定的に装着された２つの第１リング部材から遠ざかる形で移動することを可能とし、それによってレバーアーチ機構を開く、という板バネと；そして、突出部上にピボット運動可能な形で装着され、突出部上に装着された方の端部にローラを有したレバーと、を有するレバーアーチ機構である。レバーを下向きに押し回すと、ローラは、板バネの上方向に押す力に対して逆らい、そして接続部分が基板を押える状態になる位置まで移動する。そうすると、２つの第２リング部材は共に移動して、固定的に装着された２つの第１のリング部材と接触状態となる位置に達し、各部材で閉じたループを形成する。レバーを上方向に回すと、ローラは移動して接続部分に対する押えを解放する位置に達し、その結果、接続部分は、板バネの上方向に押す力の作用を受け、基板から遠ざかる形で移動する。そうすると、２つの第２リング部材は共に移動して、２つの第１のリング部材から遠ざかり、各部材で開いたループを形成する。その結果、レバーアーチ機構は開く。
【０００３】
従来のレバーアーチ機構では、接続部分に対するローラの押え力によってのみ、レバーアーチ機構は閉じた状態を維持できる。この場合、レバーアーチ機構を誤って落としてしまった場合、特にルーズリーフ用紙が数多く保持されていると、レバーアーチ機構が外部の力の作用を受けて開き、ルーズリーフ用紙も外れて落ちてしまうおそれがある。そこで、レバーアーチ機構の改善の必要がある。
【特許文献１】中国特許：０１１２４６４５.６号。
【発明の開示】
【発明が解決しようとする課題】
【０００４】
本発明は、従来のレバーアーチ機構における上記の問題を考慮して提案されたものである。
そのため、本発明は、落としてしまった場合に意図しない形で開く事態を防止でき、それゆえ、ルーズリーフ用紙が外れて落ちる事態も避けられる、というレバーアーチ機構を提供することを目的とする。
【課題を解決するための手段】
【０００５】
そこで、本発明によって提供されるレバーアーチ機構は、平らな基板と、基板上に固定的な形で取り付けられた２つの第１リング部材であって、互いから隔てられ、互いと平行である、という前記２つの第１リング部材と、基板上に可動状態で取り付けられたリングアセンブリであって、互いから隔てられ、互いと平行である、という２つの第２リング部材を有し、２つの第１リング部材と２つの第２リング部材とは、１つ１つが互いに向き合う形に配置されており、そのため、リングアセンブリが移動すると、それぞれの向かい合うリング部材が閉じたループを形成する、という前記リングアセンブリと、一方の端部が基板上に取り付けられており、もう一方の端部がリングアセンブリに当接する、という弾性部材であって、弾性力によってリングアセンブリを基板から遠ざける方向に押す前記弾性部材と、基板から上方向に延びた突出部と、そして、回転可能な形で突出部上に取り付けられ、リングアセンブリと接触するレバー機構であって、リングアセンブリを基板上に押し付ける、または、リングアセンブリを基板から遠ざける形で移動させ、それによってレバーアーチ機構を開閉する、という形で使用される前記レバー機構と、を有し、レバーアーチ機構が閉じられている際にレバー機構を所定位置にロックするロック手段を更に有する。
【発明の効果】
【０００６】
本発明によるレバーアーチ機構では、レバーアーチ機構が閉じた状態においてレバーを所定位置に強固にロックするロック手段が設けられているため、レバーアーチ機構を落としてしまったとしても、外部の力の作用でレバーが回ってしまうことはない。そのため、レバーアーチ機構が意図しない形で開く事態を防止でき、それゆえ、ルーズリーフ用紙が外れて落ちる事態も回避できる。
【発明を実施するための最良の形態】
【０００７】
図１乃至４が示すのは、本発明の第１の実施の形態によるレバーアーチ機構１００である。本発明によるレバーアーチ機構１００は、全体的に平らな基板１０１を有する。第１リング部材１０３が２つ、互いと平行に距離を置いた形で、基板１０１の長手方向側面に固定状態で取り付けられている。２つの第１リング部材１０３は、基板１０１から実質的に垂直方向上向きに延びており、それぞれ、自由端で少し曲げられて曲り部分を形成している。そしてリングアセンブリ１０５が、基板１０１の他方の長手方向側面に可動状態で取り付けられている。そしてリングアセンブリ１０５は、第２リング部材１０５ａを２つ、互いと平行に距離を置いた形で有すると共に、これら第２リング部材１０５ａを接続して一体化する接続部分１０５ｂを有する。２つの第２リング部材１０５ａの各々は、その自由端に曲り部分を形成しており、それによって、リングアセンブリ１０５の２つの第２リング部材１０５ａは、基板１０１に固定状態で取り付けられた２つの第１リング部材１０３のうち対応する方の１つと契合して閉じたループを形成する。リングアセンブリ１０５の２つの第２リング部材１０５ａは、基板１０１に近い方のもう一方の端部において、接続部分１０５ｂで互いと接続されて一体化している。接続部分１０５ｂはその中央に、全体的にＵ字の形となった曲り部分１０５ｃを有し、当該部分１０５ｃは基板の中央に向かって実質的に水平に曲げられている。ただし、曲り部分１０５ｃの中央部は、わずかに上向きに隆起した隆起部１０５ｄを形成している。第１のリング部材１０３およびリングアセンブリ１０５はそれぞれ、全体的に円形または楕円形の断面を有し、スチールなどの適当な材料から作られている。リングアセンブリ１０５は、２つのめくり部分１０７によって、可動状態で基板１０１に取り付けられている。２つのめくり部分１０７は、基板１０１のうちリングアセンブリ１０５が設けられている側に形成されており、基板をカット加工またはパンチ加工した上で、基板のカットまたはパンチした部分をめくる、という処理によって作られる。
【０００８】
基板１０１のほぼ中央には、全体が直立した突出部１０９が形成されており、当該突出部１０９は、基板１０１をその長手方向の側面のうちリングアセンブリ１０５が設けられている方の側面近くでカット加工またはパンチ加工した上で、基板のカットまたはパンチした部分を上向きに曲げる、という処理によって作られている。突出部１０９は上に曲げられ、基板１０１には切り抜き穴１１１が残る。また、基板１０１の長手方向側面のうちリングアセンブリ１０５が設けられている方の側面のエッジ近くには、細長いスロット１１３が形成されているが、その機能については後で述べる。また、基板には、レバーアーチ機構をノートまたはファイルのカバーに取り付けるために、穴１１５を１つまたは複数形成することもできる。
【０００９】
本発明によるレバーアーチ機構１００はレバー１１７を更に有する。レバー１１７は、レバー本体１１７ａと、レバー本体１１７ａの一方の端部から上向きに延びるレバーヘッド１１７ｂと、そして、レバー本体１１７ａの他方の端部から上向きに延びるレバーハンドル１１７ｃとを有する。本発明によるレバーアーチ機構１００はローラ１１９も有しており、当該ローラ１１９はプラスチック製とするのが好ましい。ローラ１１９は、レバー本体１１７ａとレバーヘッド１１７ｂとの連結部において、レバー１１７に取り付けられている。
【００１０】
組み立てられた状態でのレバーアーチ機構１００において、２つの第１リング部材１０３は、基板１０１の長手方向の一方の側に、リベット、溶接または他の何らかの公知の接続手段を用いた接続によって、固定状態で設置されている。リングアセンブリ１０５の接続部分１０５ｂの２つの端部は、２つのめくり部分１０７によって可動状態で固定されているため、リングアセンブリ１０５は基板１０１上に可動状態で取り付けられていることになる。接続部分１０５ｂのＵ字型曲げ部分１０５ｃは、突出部１０９のごく近くに位置して、基板１０１の長手方向の他方の側にリングアセンブリ１０５を可動状態で取り付けており、リングアセンブリ１０５の２つの第２リング部材１０５ａと固定状態で装着された２つの第１リング部材１０３とは位置がそろった形となっている。ローラ１１９を備えたレバー１１７は、ピンシャフト１２１を用いて突出部１０９にピボット運動可能な形で取り付けられており、ローラ１１９は、実質的にリングアセンブリ１０５の曲げ部分１０５ｃの上で移動することができる。板バネ１２３は、わずかに曲げられて全体的に円弧状の形となっている。そして、当該板バネ１２３の一方の端部は基板１０１の細長いスロット１１３に挿入されており、それによってバネは基板１０１に保持される。また、バネのもう一方の端部は、リングアセンブリ１０５の曲げ部分１０５ｃの下側に位置していると共に、リングアセンブリ１０５の曲げ部分１０５ｃに弾性的に当接しており、バネはその弾力でリングアセンブリ１０５の曲げ部分１０５ｃを上方向に押す。もちろん、板バネ１２３の設置位置については、板バネ１２３が曲げ部分１０５ｃの下側に当接さえするのであれば、図に示す位置には限定されない。更に、板バネ１２３の形状についても、板バネ１２３が曲げ部分１０５ｃの下側に当接して上に押す力を発生するのであれば、図に示した形状でなくてもよい。
【００１１】
レバー１１７を下向きに押し回すと、ローラ１１９は隆起部１０５ｄに沿って曲げ部分１０５ｃにまで移動し、板バネ１２３の上に押す力に逆らう形で、接続部分１０５ｂを基板１０１上に押さえつける。その結果、リングアセンブリ１０５の２つの第２リング部材１０５ａは共に、２つの対向する第１リング部材１０３と接触する位置にまで移動し、ルーズリーフ用紙を保持するための閉じたループを形成する。レバー１１７を上向きに回すと、ローラ１１９は隆起部１０５ｄから遠ざかる形で移動し、接続部分１０５ｂに加えていた押さえ力を解放する。その結果、板バネ１２３の上に押す力の作用を受けて、接続部分１０５ｂは基板１０１から遠ざかる形で移動する。そうすると、リングアセンブリ１０５の２つの第２リング部材１０５ａは対向する第１リング部材１０３から離れる方向に移動し、開いたループが形成されてルーズリーフ用紙へのアクセスが可能となる。なお、レバー１１７を上向きに回してレバーアーチ機構を開ける際にルーズリーフ用紙へのアクセスをレバー１１７が妨げる事態を避ける目的で、突出部１０９に突出ストッパ１２５を設け、レバー１１７を回すことのできる範囲を制限している。
【００１２】
本発明によるレバーアーチ機構１００はロック手段１３１を更に有し、当該手段１３１は基板１０１においてレバー１１７に対応する位置に配置されている。ロック手段１３１は、基板１０１から実質的に直立状態で上に延びたベース１３１ａと、当該ベース１３１から実質的に水平方向に曲ったロック部分１３１ｂとを有する。ベース１３１ａとロック部分１３１ｂとは、ほぼＬ字の形状を成す。理解すべき点として、ベース１３１ａが基板１０１からほぼ斜め上に伸びる形とした場合や、ロック部分１３１がベース１３１ａから非水平方向に曲がる形とした場合も、本発明の範囲から外れることはない。ロック手段１３１については、基板１０１とは別に形成されたアセンブリとし、何らかの公知の接続手段によって基板１０１上に設置することにしてもよい。ただし、ロック手段１３１は、基板と一体の形とし、基板１０１をパンチ処理またはカット処理して、そのパンチまたはカットした基板の一部を曲げる、という方法で形成するのが好ましい。
【００１３】
本発明の第１の実施の形態によるレバーアーチ機構１００が閉じている際、レバー１１７はロック手段１３１のロック部分１３１ｂと基板１０１との間のスペースに置かれており、ロック部分１３１ｂはレバー１１７の上方向への回転を妨げている。その結果、レバーアーチ機構１００は、落としてしまった場合ですら、意図しない形で開くことはない。レバーアーチ機構１００を開ける場合、操作者は、図２、３に示すように、ロック手段１３１のベース１３１ａとは反対の側に向けてレバー１１７を移動させる。すると、レバー１１７はロック手段１３１のロック部分１３１ｂから外れ、レバーアーチ機構１００は図４に示すように正常に開く。
【００１４】
図５乃至７が示すのは、本発明の第２の実施の形態によるレバーアーチ機構２００である。本発明の第２の実施の形態によるレバーアーチ機構２００の構造は、ロック手段を除いて、本発明の第１の実施の形態によるレバーアーチ機構１００のそれと実質的に類似している。第２の実施の形態によるレバーアーチ機構２００の部品の参照番号については、第１の実施の形態によるレバーアーチ機構１００において対応する部品の参照番号に「１００」を加えた数字によって示してある。同一の部品については説明を省略する。
【００１５】
本発明の第２の実施の形態によるレバーアーチ機構２００は、基板２０１においてレバー２１７に対応する位置に置かれた回転式ロック手段２３１を有する。ロック手段２３１は、基板２０１から実質的に直立状態で上に延びたベース２３１ａと、当該ベース２３１ａから実質的に水平方向に曲ったロック部分２３１ｂとを有する。ベース２３１ａとロック部分２３１ｂとはほぼＬ字の形を成している。理解すべき点として、ベース２３１ａが基板２０１からほぼ斜め上に伸びる形とした場合や、ロック部分２３１ｂがベース１３１ａから非水平方向に曲がる形とした場合も、本発明の範囲から外れることはない。ロック手段２３１は、リベットやピンシャフトなどの留め具２３３によって、回転可能な形で基板２０１に設置されている。好ましい構成として、ロック手段２３１は更に、ベース２３１ａの他方の端部からほぼ水平に延びる形で、設置部分２３１ｃを有する。設置部分２３１ｃには、留め具２３３を通すための穴２３１ｄが形成されている。加えて、ロック手段２３１は、ロック部分２３１ｂの他方の端部から実質的に直立状態で上に延びるハンドル２３１ｅを更に有する。当該ハンドル２３１ｅを掴んでロック手段２３１を操作する。
【００１６】
本発明の第２の実施の形態によるレバーアーチ機構２００が閉じられた後、操作者は、ロック手段２３１のハンドル２３１ｅを手で掴んで、ロック手段２３１のロック部分２３１ｂを図６に示すようにレバー２１７の上の位置にまで回す。すると、ロック部分２３１ｂはレバー２１７の上方向への回転を防止する。その結果、レバーアーチ機構２００は、落としてしまった場合ですら、意図しない形で開くことはない。レバーアーチ機構２００を開ける場合、操作者はロック手段２３１を回して、ロック手段２３１のロック部分２３１ｂをレバー２１７から離す形で移動させればよい。そうすれば、レバーアーチ機構２００は図７に示すように正常に開く。
【００１７】
図８乃至１３が示すのは、本発明の第３の実施の形態によるレバーアーチ機構３００である。本発明の第３の実施の形態によるレバーアーチ機構３００の構造は、ロック手段を除いて、本発明の第１の実施の形態によるレバーアーチ機構１００の構造に実質的に類似している。第３の実施の形態によるレバーアーチ機構３００の部品の参照番号については、第１の実施の形態によるレバーアーチ機構１００において対応する部品の参照番号に「２００」を加えた数字によって示してある。同一の部品については説明を省略する。
【００１８】
本発明の第３の実施の形態によるレバーアーチ機構３００はまた、基板３０１に配置された回転可能なロック手段３３１を有する。ロック手段３３１は、基板３０１にほぼ平行に延びるベース３３１ａと、ベース３３１ａからほぼ垂直に延びるロック部分３３１ｂとを有する。ロック部分３３１ｂのうちレバー３１７に面する側には、ノッチが形成されている。ロック手段３３１は、リベットやピンシャフトなどの留め具３３３と螺旋形ねじれスプリング３３５とによって、回転可能な形で基板３０１に設置されている。図１０に示すように、留め具３３３は、螺旋形ねじれスプリング３３５と、ベース３３１ａの穴３３１ｄと、そして基板の穴とを貫通して、基板３０１にロック手段３３１を設置しており、螺旋形ねじれスプリング３３５の一方の自由端は基板に固定され、他方の自由端はロック部分３３１ｂに当接する形となっている。従って、螺旋形ねじれスプリング３３５の作用を受けて、ロック手段３３１は常に留め具３３３の周囲で回転し、それによってレバー３１７の方向にロック部分３３１ｂを移動させようとしている。また、ストッパ３２７を基板３０１に設けて、ロック手段３３１の回転範囲を制限することもできる。更に、ロック手段３３１は、ベース３３１ａの他方の端部から延びたハンドル３３１ｅを更に有する。これによって、ロック手段３３１を掴んで操作することができる。
【００１９】
本発明の第３の実施の形態によるレバーアーチ機構３００では、閉じられた後、螺旋形ねじれスプリング３３５の作用を受けたロック手段３３１が留め具３３３の周囲で回転し、ロック部分３３１ｂをレバー３１７の方向に動かそうとするため、レバー３１７は、図８および図１０に示すように、ロック部分３３１ｂのノッチに収まる形となる。ロック部分３３１ｂはレバー３１７が上方向に回転するのを防ぐ。そのため、レバーアーチ機構３００は、落としてしまった場合ですら、意図しない形で開くことはない。レバーアーチ機構３００を開く場合、操作者はロック手段３３１を回転させ、当該ロック手段３３１のロック部分３３１ｂのノッチがレバー３１７から離れる形に移動させる。そうすれば、図１２、１３に示すように、レバーアーチ機構３００は正常に開く。
【００２０】
図１４乃至１６が示すのは、本発明の第４の実施の形態によるレバーアーチ機構４００である。本発明の第４の実施の形態によるレバーアーチ機構４００の構造は、ロック手段を除き、本発明の第１の実施の形態によるレバーアーチ機構１００のそれに実質的に類似している。第４の実施の形態によるレバーアーチ機構４００の部品の参照番号については、第１の実施の形態によるレバーアーチ機構１００において対応する部品の参照番号に「３００」を加えた数字によって示してある。同一の部品については説明を省略する。
【００２１】
本発明の第４の実施の形態によるレバーアーチ機構４００は、スライド移動可能なロック手段４３１を有し、当該手段４３１は、基板３０１のうちレバー４１７が位置する側に設けられている。ロック手段４３１は２つのベース４３１ａを有し、これらベースは、基板４０１から実質的に上方向に直立する形で延び、互いに対向する形となっている。２つのベース４３１ａは互いに向かって曲げられているが、対向する曲り部分４３１ａ´の間には間隔が残されて、それにより、対向する２つの曲り部分と基板４０１との間に通路が形成されている。ロック手段４３１は更にロック部分４３１ｂを有する。ロック部分４３１ｂは、その本体の下側端部の２つの側面の各々に、グルーブ４３１ｂを１つずつ備えている。グルーブ４３１ｂ´の形状および寸法は、密な形でベース４３１ａの曲げ部分４３１ａ´と契合するように、そして、外部の力の作用を受けるとロック部分をスライド移動させるように決められている。ノッチ４３１ｂ´´が、ロック部分４３１ｂの本体のうちレバー４１７に面する方の端部に形成されている。ノッチ４３１ｂ´´は、レバー４１７を収めるように形状および寸法が決められている。また、打ち出し加工部４３１ｂ´´´が、ロック部分４３１ｂの本体の上面に形成してあり、ロック部分４３１ｂをスライド移動させるのを容易にしている。組立時、ロック部分４３１ｂは２つの曲り部分４３１ａ´によって形作られた隙間および通路に挿入され、２つの曲り部分４３１ａ´はそれぞれ、ロック部分４３１ｂの２つのグルーブ４３１ｂ´のうち１つに収容される。その結果、ロック部分４３１ｂは２つのベース４３１ａに対してスライド移動する。
【００２２】
本発明の第４の実施の形態によるレバーアーチ機構４００では、閉じられた後、操作者がロック手段４３１のロック部分４３１ｂを手でレバー４１７の方向に押すと、図１５に示すように、レバー４１７はロック部分４３１ｂのノッチ４３１ｂ´´に収まる。そうなると、ロック部分４３１ｂはレバー４１７の上方向への回転を防止する。よって、レバーアーチ機構４００は、落としてしまった場合ですら、意図しない形で開くことはない。レバーアーチ機構４００を開ける際、操作者は、ロック手段４３１のロック部分４３１ｂを手で押してレバー４１７から遠ざけて、ロック部分４３１ｂのノッチ４３１ｂ´´をレバー４１７から外せばよい。そうすれば、レバーアーチ機構４００は図１６に示すように正常に開く。
【００２３】
図１７乃至２０が示すのは、本発明の第５の実施の形態によるレバーアーチ機構５００である。本発明の第５の実施の形態によるレバーアーチ機構５００の構造は、ロック手段を除けば、本発明の第１の実施の形態によるレバーアーチ機構１００のそれと実質的に類似している。第５の実施の形態によるレバーアーチ機構５００の部品の参照番号については、第１の実施の形態によるレバーアーチ機構１００において対応する部品の参照番号に「４００」を加えた数字によって示してある。同一の部品については説明を省略する。
【００２４】
本発明の第５の実施の形態によるレバーアーチ機構５００は、レバー５１７に隣接して基板５０１上に配置されたロック手段５３１を更に有する。ロック手段５３１は、基板５０１からほぼ直立状態で上方向に延びたベース５３１ａを有する。ベース５３１ａには開口５３１ｂが形成されている。理解すべき点として、ベース５３１ａが基板５０１からほぼ斜め上方向に延びた構成も、本発明の範囲から外れてはいない。更に、レバー５１７上では、ロック手段５３１の開口５３１ｂに対応するに位置に突起５１７ｄが形成されている。突起５１７ｄの形状および寸法は、開口５３１ｂに収まるように決められている。 
【００２５】
本発明の第５の実施の形態によるレバーアーチ機構５００では、閉じられた後、突起５１７ｄが図１７に示すようにロック手段５３１の開口５３１ｂに収容されている。これにより、ロック手段５３１はレバー５１７が上方向に回るのを防ぐ。その結果、レバーアーチ機構５００は、落としてしまった場合ですら、意図しない形で開くことはない。レバーアーチ機構５００を開ける場合、操作者は、レバー５１７の突起５１７ｄを移動させ、図１８、１９に示すようにロック手段５３１の開口５３１ｂから外せばよい。そうすれば、レバーアーチ機構５００は、図２０に示すように正常に開く。理解すべき点として、開口またはノッチをレバー５１７に形成し、突起はロック手段に形成する、という構成も可能であろう。
【００２６】
図２１乃至２４に示すのは、本発明の第６の実施の形態によるレバーアーチ機構６００である。本発明の第６の実施の形態によるレバーアーチ機構６００の構造は、ロック手段を除き、本発明の第１の実施の形態によるレバーアーチ機構１００のそれと実質的に類似している。第６の実施の形態によるレバーアーチ機構６００の部品の参照番号については、第１の実施の形態によるレバーアーチ機構１００において対応する部品の参照番号に「５００」を加えた数字によって示してある。同一の部品については説明を省略する。
【００２７】
本発明の第６の実施の形態によるレバーアーチ機構６００は、レバー６１７に隣接して基板６０１上に配置されたロック手段６３１を有する。ロック手段６３１は、基板６０１からほぼ直立状態で上方向に延びたベース６３１ａを有する。ベース６３１ａには開口６３１ａ´が形成されている。理解すべき点として、ベース６３１ａが基板６０１から実質的に斜め上向きに延びている場合も、本発明の範囲から外れてはいない。ロック手段６３１はロック部分６３１ｂを更に有する。ロック部分６３１ｂは従属部分６３１ｂ´を備えており、当該部分６３１ｂ´は、ロック部分６３１ｂの本体の一方の端部から下向きに付いている。従属部分６３１ｂ´上でベース６３１ａの開口６３１ａ´に対応する位置には、突起６３１ｂ´´が形成されている。また、ロック部分６３１ｂの本体の他方の端部には、貫通穴６３１ｂ´´´が形成されている。レバー６１７を挟んでベース６３１ａの反対側には、２つの対向する支持部６３３が基板６０１から突き出している。これら支持部６３３には位置をそろえて穴が形成されている。組立時、ロック部分６３１ｂは２つの支持部６３３の間に配置され、その際、支持部６３３の穴とロック部分６３１ｂの貫通穴６３１ｂ´´´とは位置がそろった状態となる。これらの位置をそろえた穴にピンシャフト６３５を通すことで、ロック部分６３１ｂは支持部６３３に、ピボット運動可能な形で設置される。
【００２８】
本発明の第６の実施の形態によるレバーアーチ機構６００は、閉じられた後、ロック部分６３１ｂをピンシャフト６３５の周りでピボット運動させることで、ロック部分６３１ｂの従属部分６３１ｂ´にある突起６３１ｂ´´が、図２２に示すように、ベース６３１の開口６３１に収容される。これにより、ロック部分６３１ｂの本体は、レバー６１７の上方向への回転を防ぐ。そのため、レバーアーチ機構６００は、落としてしまった場合ですら、意図しない形で開くことはない。レバーアーチ機構６００を開ける場合、操作者は、従属部分６３１ｂ´の突起６３１ｂ´´を移動させてベース６３１ａの開口６３１ａ´から外し、ロック部分６３１ｂを回転させることで、図２３に示すように、ロック部分６３１ｂをレバー６１７から遠ざける形で移動させればよい。そうすれば、図２４に示すように、レバーアーチ機構６００は正常に開く。
【００２９】
図２５乃至２７に示すのは、本発明の第７の実施の形態によるレバーアーチ機構７００である。本発明の第７の実施の形態によるレバーアーチ機構７００の構造は、ロック手段を除き、本発明の第１の実施の形態によるレバーアーチ機構１００のそれと実質的に類似している。第７の実施の形態によるレバーアーチ機構７００の部品の参照番号については、第１の実施の形態によるレバーアーチ機構１００において対応する部品の参照番号に「６００」を加えた数字によって示してある。同一の部品については説明を省略する。
【００３０】
本発明の第７の実施の形態によるレバーアーチ機構７００が有するロック手段７３１は、基板７０１のうちレバー７１７に対応する位置に配置されている。ロック手段７３１は２つのベース７３１を有し、これらベースは基板７０１からほぼ直立状態で上方向に延び、互いと対向している。レバーアーチ機構７００が閉じられた状態では、２つのベース７３１は、レバー７１７の上部に当たる位置で互いの方に曲がっており、２つのロック部分７３１ｂを形成している。図２６に示すように、２つのロック部分７３１ｂの間隔はレバー７１７の径よりも狭い。
【００３１】
本発明の第７の実施の形態によるレバーアーチ機構７００では、閉じられた際、レバー７１７を２つのロック部分７３１ｂの弾性力に逆らう形で下方向に回すと、レバー７１７は２つのロック部分７３１ｂの間を通過することができる。レバー７１７が間を通過した後、２つのロック部分７３１ｂは弾性力によって元の状態に戻る。２つのロック部分７３１ｂの間隔はレバー７１７の径よりも狭いため、レバー７１７の上方向への回転を防ぐことができる。そのため、レバーアーチ機構７００は、落としてしまった場合ですら、意図しない形で開くことはない。レバーアーチ機構７００を開ける場合、操作者は、２つのロック部分７３１ｂの弾性力に抵抗する形でレバー７１７を上方向に回転させて、レバー７１７に２つのロック部分７３１ｂの間を通過させればよい。そうすれば、図２７に示すように、レバーアーチ機構７００は正常に開く。
【００３２】
図２８乃至３３が示すのは、本発明の第８の実施の形態によるレバーアーチ機構８００である。本発明の第８の実施の形態によるレバーアーチ機構８００の構造は、ロック手段を除き、本発明の第１の実施の形態によるレバーアーチ機構１００のそれと実質的に類似している。第８の実施の形態によるレバーアーチ機構８００の部品の参照番号については、第１の実施の形態によるレバーアーチ機構１００において対応する部品の参照番号に「７００」を加えた数字によって示してある。同一の部品については説明を省略する。
【００３３】
本発明の第８の実施の形態によるレバーアーチ機構８００のロック手段８３１は、ピンシャフト８３３および螺旋形ねじれスプリング８３５によって、レバーアーチ機構８００の突出部８０９上にピボット運動可能な形で設置されたロック部分８３１ｂを有する。螺旋形ねじれスプリング８３５の一方の自由端は突出部８０９に固定されており、他方の自由端はロック部分８３１ｂに上向きに当接している。よって、螺旋形ねじれスプリング８３５の作用を受けるロック部分８３１ｂは必ず、ロック部分８３１ｂの下側端部をレバー８１７の方に移動させレバー８１７に当接させる、という形でピンシャフト８３３の周囲を回転する。好ましい構成として、ロック部分８３１ｂの下側端部を収容するためのノッチ８１７ｄがレバー８１７上に形成されており、その位置は当該レバーがロック部分８３１ｂに当接する位置である。より好ましい構成として、グルーブ８３１ｂ´が、ロック部分８３１ｂのうちレバー８１７と接触する位置に設けられている。それによって、レバー８１７のロックは容易になる。
【００３４】
ロック手段８３１は操作部分８３１ａを更に有する。操作部分８３１ａはハンドル８３１ａ´を有し、当該ハンドルは、ピンシャフト８３７によってレバー８１７のハンドル８１７ｃに、ピボット運動可能な形で設置されている。ハンドル８３１ａ´はその下側端部で、ピンシャフト８３９によってロッド部分８３１´´に接続されている。ロッド部分８３１´´のうちハンドル８３１´に接続している端部とは反対側の端部には、突起８３１´´´が形成されている。また、ロッド部分８３１ａ´´の中央には細長いスロット８３１ａ´´´´が形成されている。組立時には、ピンシャフト８３９によって接続されて一体化したハンドル８３１ａ´とロッド部分８３１ａ´´とが、ピンシャフト８３７によってレバー８１７のハンドル８１７ｃ上に設置される。さらに、レバー８１７の本体８１７ａ上に設置されたピンシャフト８４１を、ロッド部分８３１ａ´´の細長いスロット８３１ａ´´´´に通す。ロッド部分８３１´´の隆起部８３１´´´は、ロック部分８３１ｂのうちローラに面する側に当接する。
【００３５】
本発明の第８の実施の形態によるレバーアーチ機構８００では、閉じられた際、ロック部分８３１ｂが、螺旋形ねじれスプリング８３５の作用を受けて、ピンシャフト８３３の周囲で回転することにより、ロック部分８３１ｂの下側端部にあるスロット８３１ｂ´とレバー８１７のノッチ８１７ｄとを、図２９および図３０に示すように互いに当接させる。そうすると、ロック部分８３１ｂはレバー８１７の上方向への回転を防止することになる。よって、レバーアーチ機構８００は、落としてしまった場合でも、意図しない形で開くことはない。レバーアーチ機構８００を開ける場合、操作者は、操作部分８３１のハンドル８３１´とレバー８１７のハンドル８１７ｃとを一緒に押さえ、その後、図３１、３２に示すようにレバー８１７を上方向に回せばよい。この操作により、ロッド部分８３１´´は細長いスロット８３１´´´´に沿ってロック部分８３１ｂから遠ざかる形で移動し、更にその後、ロッド部分８３１´´の突起８３１´´´が、螺旋形ねじれスプリング８３５の弾性力に逆らう形で、ロック部分８３１ｂをレバー８１７から遠ざかる方向に移動させることになる。その結果、レバーアーチ機構８００は図３３に示すように正常に開く。
【００３６】
図３４乃至３８が示すのは、本発明の第９の実施の形態によるレバーアーチ機構９００である。本発明の第９の実施の形態によるレバーアーチ機構９００の構造は、ロック手段を除き、本発明の第１の実施の形態によるレバーアーチ機構１００のそれと実質的に類似している。第９の実施の形態によるレバーアーチ機構９００の部品の参照番号については、第１の実施の形態によるレバーアーチ機構１００において対応する部品の参照番号に「８００」を加えた数字によって示してある。同一の部品については説明を省略する。
【００３７】
本発明の第９の実施の形態によるレバーアーチ機構９００のロック手段９３１は、ピンシャフト９３３と螺旋形ねじれスプリング９３５とによってレバーアーチ機構９００の突出部９０９上にピボット運動可能な形で設置されたロック部分９３１ｂを有する。螺旋形ねじれスプリング９３５の一方の自由端は突出部９０９に固定されており、他方の自由端はロック部分９３１ｂに上向きに当接している。よって、螺旋形ねじれスプリング９３５の作用を受けたロック部分９３１ｂは常に、ピンシャフト９３３の周囲で回転し、それによって、ロック部分９３１ｂの下側端部はレバー９１７の方向に移動し、レバー９１７に当接することになる。好ましい構成として、レバー９１７がロック部分９３１ｂに当接する位置で、レバー９１７にはロック部分９３１ｂの下側端部を受け止めるノッチ９１７ｄが形成されている。また、より好ましい構成として、ロック部分９３１ｂがレバー９１７と接する位置において、ロック部分９３１ｂにはグルーブ９３１ｂ´が形成されており、それによってレバー９１７のロックが容易になっている。
【００３８】
第８の実施の形態によるレバーアーチ機構と比較した場合、第９の実施の形態によるレバーアーチ機構９００には、第８の実施の形態によるレバーアーチ機構にあった操作部分８３１ａがない。その代わりに、第９の実施の形態によるレバーアーチ機構９００は、ロック部分９３１ｂの上側端部から一体となった形で延びた押え部分９３１ａを有する。これにより、移動螺旋形ねじれスプリング９３５の弾性力に逆らう形で、ロック部分９３１ｂをレバー９１７から遠ざける形に移動させることができる。好ましい構成として、押え部分９３１は螺旋形ねじれスプリング９３５の方向へわずかに曲がっており、それによって押え操作を容易にしている。
【００３９】
発明の第９の実施の形態によるレバーアーチ機構９００では、閉じられた後、図３５に示すように、ロック部分９３１ｂが螺旋形ねじれスプリング９３５の作用を受けて、ピンシャフト９３３の周囲で回転することにより、ロック部分９３１ｂの下側端部にあるグルーブ９３１ｂ´とレバー９１７のノッチ９１７ｄとが互いに当接するため、ロック部分９３１ｂはレバー９１７の上方向への回転を防ぐことができる。そのため、レバーアーチ機構９００は、落としてしまった場合でも、意図しない形で開くことはない。レバーアーチ機構９００を開ける場合、操作者は、押え部分９３１を反時計回りの方向に押えて、図３６、３７に示すように、螺旋形ねじれスプリング９３５の弾性力に逆らう形で、ロック部分９３１ｂをレバー９１７から遠ざかる形で移動させると同時に、レバー９１７を上向きに回す。すると、レバーアーチ機構９００は図３８に示すように正常に開く。
【００４０】
本発明によるレバーアーチ機構では、レバーアーチ機構が閉じられている間はレバーを所定位置に確実にロックするロック手段が設けられているため、レバーアーチ機構が落とされた場合ですら、レバーが外部の力の作用で回転することはない。そのため、レバーアーチ機構が偶発的に開く事態を回避することができ、その結果、ルーズリーフ用紙が外れて落ちるのを防ぐことができる。
【００４１】
以上、本発明の好適な実施の形態について、非制限的な意味での添付図面を参照しながら詳細に説明したが、理解すべきこととして、添付の特許請求の範囲によって定義される本発明の範囲から逸脱しない形で、様々な変更および改造を施すことが可能であろう。例えば、レバーの端部にはローラでなくカムを設置することもできるであろう。そうした変更および改造は全て、本発明の保護範囲内にあるものと考えている。
【図面の簡単な説明】
【００４２】
【図１】本発明の第１の実施の形態によるレバーアーチ機構をリングが閉じた状態で示す斜視図である。
【図２】本発明の第１の実施の形態によるレバーアーチ機構の斜視図であり、レバーがロック手段から外れようとしている様子を示す図である。
【図３】本発明の第１の実施の形態によるレバーアーチ機構の上面図であり、レバーがロック手段から外れた様子を示す図である。
【図４】本発明の第１の実施の形態によるレバーアーチ機構をリングが開いた状態で示す斜視図である。
【図５】本発明の第２の実施の形態によるレバーアーチ機構を部分的に分解して示す斜視図である。
【図６】本発明の第２の実施の形態によるレバーアーチ機構をリングが閉じた状態で示す斜視図である。
【図７】本発明の第２の実施の形態によるレバーアーチ機構をリングが開いた状態で示す斜視図である。
【図８】本発明の第３の実施の形態によるレバーアーチ機構をリングが閉じた状態で示す斜視図である。
【図９】本発明の第３の実施の形態によるレバーアーチ機構をリングが閉じた状態で部分的に分解して示す斜視図であり、ロック手段がはっきりと見えるように示す図である。
【図１０】本発明の第３の実施の形態によるレバーアーチ機構をリングが閉じた状態で示す別の側面斜視図であり、ロック手段がはっきりと見えるようにレバーアーチ機構の一部を取り除いた形で示す図である。
【図１１】本発明の第３の実施の形態によるレバーアーチ機構をリングが閉じた状態で示す斜視図であり、ロック手段がはっきりと見えるようにレバーアーチ機構の一部を取り除いた形で、レバーアーチ機構を開ける際にロック手段がどのように操作されるかを示す図である。
【図１２】本発明の第３の実施の形態によるレバーアーチ機構の上面図であり、図１１に示す状態に対応した図である。
【図１３】本発明の第３の実施の形態によるレバーアーチ機構をリングが開いた状態で示す斜視図である。
【図１４】本発明の第４の実施の形態によるレバーアーチ機構を部分的に分解した状態で示す斜視図である。
【図１５】本発明の第４の実施の形態によるレバーアーチ機構をリングが閉じた状態で示す斜視図であり、ロック手段がはっきりと見えるようにリング部材を１つ取り除いた形で示す図である。
【図１６】本発明の第４の実施の形態によるレバーアーチ機構をリングが開いた状態で示す斜視図であり、ロック手段がはっきりと見えるようにリング部材を１つ取り除いた形で示す図である。
【図１７】本発明の第５の実施の形態によるレバーアーチ機構をリングが閉じた状態で示す斜視図である。
【図１８】本発明の第５の実施の形態によるレバーアーチ機構の斜視図であり、レバーがロック手段から外れようとしている様子を示す図である。
【図１９】本発明の第５の実施の形態によるレバーアーチ機構の上面図であり、レバーがロック手段から外れた様子を示す図である。
【図２０】本発明の第５の実施の形態によるレバーアーチ機構をリングが開いた状態で示す斜視図である。
【図２１】本発明の第６の実施の形態によるレバーアーチ機構を部分的に分解した状態で示す斜視図である。
【図２２】本発明の第６の実施の形態によるレバーアーチ機構をリングが閉じた状態で示す斜視図であり、ロック手段がはっきりと見えるようにレバーアーチ機構の一部を取り除いた形で示す図である。
【図２３】本発明の第６の実施の形態によるレバーアーチ機構をリングが閉じた状態で示す斜視図であり、ロック手段がはっきりと見えるようにレバーアーチ機構の一部を取り除いた形で、レバーアーチ機構を開ける際にロック手段がどのように操作されるかを示す図である。
【図２４】本発明の第６の実施の形態によるレバーアーチ機構をリングが開いた状態で示す斜視図である。
【図２５】本発明の第７の実施の形態によるレバーアーチ機構をリングが閉じた状態で示す斜視図である。
【図２６】本発明の第７の実施の形態によるレバーアーチ機構をリングが閉じた状態で示す端面図であり、ロック手段がはっきりと見えるようにレバーアーチ機構の一部を取り除いた形で示す図である。
【図２７】本発明の第７の実施の形態によるレバーアーチ機構をリングが開いた状態で示す斜視図である。
【図２８】本発明の第８の実施の形態によるレバーアーチ機構を部分的に分解した形で示す斜視図である。
【図２９】本発明の第８の実施の形態によるレバーアーチ機構をリングが閉じた状態で示す斜視図である。
【図３０】本発明の第８の実施の形態によるレバーアーチ機構をリングを閉じた状態で示す別の側面斜視図であり、ロック手段がはっきりと見えるようにレバーアーチ機構の一部を取り除いた形で示す図である。
【図３１】本発明の第８の実施の形態によるレバーアーチ機構をリングが閉じた状態で示す別の側面斜視図であり、ロック手段がはっきりと見えるようにレバーアーチ機構の一部を取り除いた形で、レバーアーチ機構を開ける際にロック手段がどのように操作されるかを示す図である。
【図３２】本発明の第８の実施の形態によるレバーアーチ機構の側面図であり、図３１に示す状態に対応する図である。
【図３３】本発明の第８の実施の形態によるレバーアーチ機構をリングが開いた状態で示す斜視図である。
【図３４】本発明の第９の実施の形態によるレバーアーチ機構をリングが閉じた状態で、部分的に分解した状態で示す斜視図であり、ロック手段がはっきりと見えるようにレバーアーチ機構の一部を取り除いた形で示す図である。
【図３５】本発明の第９の実施の形態によるレバーアーチ機構をリングが閉じた状態で示す斜視図である。
【図３６】本発明の第９の実施の形態によるレバーアーチ機構をリングが閉じた状態で示す斜視図であり、レバーアーチ機構を開ける際にロック手段がどのように操作されるかを示す図である。
【図３７】本発明の第９の実施の形態によるレバーアーチ機構の側面図であり、図３６に示す状態に対応する図である。
【図３８】本発明の第９の実施の形態によるレバーアーチ機構をリングが開いた状態で示す図斜視図である。
【符号の説明】
【００４３】
１００  レバーアーチ機構
１０１  基板
１０３  第１リング部材
１０５  リングアセンブリ
１０５ａ  第２リング部材
１０９  突出部
１１７  レバー
１３１  ロック手段
【図１】
2008062647.tif 000003
【図２】
2008062647.tif 000004
【図３】
2008062647.tif 000005
【図４】
2008062647.tif 000006
【図５】
2008062647.tif 000007
【図６】
2008062647.tif 000008
【図７】
2008062647.tif 000009
【図８】
2008062647.tif 000010
【図９】
2008062647.tif 000011
【図１０】
2008062647.tif 000012
【図１１】
2008062647.tif 000013
【図１２】
2008062647.tif 000014
【図１３】
2008062647.tif 000015
【図１４】
2008062647.tif 000016
【図１５】
2008062647.tif 000017
【図１６】
2008062647.tif 000018
【図１７】
2008062647.tif 000019
【図１８】
2008062647.tif 000020
【図１９】
2008062647.tif 000021
【図２０】
2008062647.tif 000022
【図２１】
2008062647.tif 000023
【図２２】
2008062647.tif 000024
【図２３】
2008062647.tif 000025
【図２４】
2008062647.tif 000026
【図２５】
2008062647.tif 000027
【図２６】
2008062647.tif 000028
【図２７】
2008062647.tif 000029
【図２８】
2008062647.tif 000030
【図２９】
2008062647.tif 000031
【図３０】
2008062647.tif 000032
【図３１】
2008062647.tif 000033
【図３２】
2008062647.tif 000034
【図３３】
2008062647.tif 000035
【図３４】
2008062647.tif 000036
【図３５】
2008062647.tif 000037
【図３６】
2008062647.tif 000038
【図３７】
2008062647.tif 000039
【図３８】
2008062647.tif 000040